(57)【要約】【課題】撮像画像が撮像された位置情報に基づいて、撮像画像以外の部分に、撮像位置に適した配色を施す。【解決手段】本発明に係るアルバム作成装置は、アルバムを構成する撮像画像が撮像された撮像位置を特定する撮像位置特定部と、撮像画像を撮像位置に対応づけて格納する画像格納部と、画像格納部が格納する複数の撮像画像を、撮像位置に基づいて撮像画像群に分類する画像分類部と、撮像位置特定部が特定した撮像位置に基づいて、アルバムにおける撮像画像以外の部分に使用する色を選択する色選択部と、色選択部が選択した色を使用して、アルバムにおける撮像画像以外の部分に色を付加する色付加部と、画像配置部とを備える。【選択図】図２
2006352841.tif 000002
【特許請求の範囲】
【請求項１】
アルバムを構成する撮像画像が撮像された撮像位置を特定する撮像位置特定部と、
前記撮像位置特定部が特定した撮像位置に基づいて、アルバムにおける撮像画像以外の部分に使用する色を選択する色選択部と、
前記色選択部が選択した色を使用して、アルバムにおける撮像画像以外の部分に色を付加する色付加部と
を備えるアルバム作成装置。
【請求項２】
複数の撮像画像のそれぞれを撮像位置に対応づけて格納する画像格納部と、
前記画像格納部が格納する複数の撮像画像を、撮像位置に基づいて複数の撮像画像群に分類する画像分類部と、
前記画像分類部が分類した複数の撮像画像群のそれぞれを、アルバムの複数の配置領域にそれぞれ配置する画像配置部と
をさらに備え、
前記撮像位置特定部は、前記画像分類部が分類した撮像画像群に含まれる複数の撮像画像が撮像された撮像地域を特定し、
前記色選択部は、前記撮像位置特定部が特定した撮像地域に基づいて、アルバムの複数の配置領域のそれぞれに使用する色を選択し、
前記色付加部は、前記色選択部が選択した色を使用して、アルバムの複数の配置領域のそれぞれにおける撮像画像以外の部分に色を付加する
請求項１に記載のアルバム作成装置。
【請求項３】
前記画像配置部は、前記画像分類部が分類した複数の撮像画像群のそれぞれを、アルバムの複数のページにそれぞれ配置し、
前記色選択部は、前記撮像位置特定部が特定した撮像地域に基づいて、アルバムの複数のページのそれぞれに使用する色を選択し、
前記色付加部は、前記色選択部が選択した色を使用して、アルバムの複数のページのそれぞれにおける撮像画像以外の部分に色を付加する
請求項２に記載のアルバム作成装置。
【請求項４】
撮像位置に対応づけて、予め定められた複数の色の組み合わせを示すカラーパレットの情報を格納するカラーパレット情報格納部
をさらに備え、
前記色選択部は、前記撮像位置特定部が特定した撮像位置に対応づけて前記カラーパレット情報格納部が格納するカラーパレットを選択し、
前記色付加部は、前記色選択部が選択したカラーパレットが示す複数の色の組み合わせを使用して、アルバムにおける撮像画像以外の部分に色を付加する
請求項１に記載のアルバム作成装置。
【請求項５】
前記カラーパレット情報格納部は、国に対応づけて、カラーパレットの情報を格納し、
前記撮像位置特定部は、アルバムを構成する撮像画像が撮像された国を特定し、
前記色選択部は、前記撮像位置特定部が特定した国に対応づけて前記カラーパレット情報格納部が格納するカラーパレットを選択する
請求項４に記載のアルバム作成装置。
【請求項６】
アルバムを構成する撮像画像が撮像された撮像時刻を特定する撮像時刻特定部
をさらに備え、
前記色選択部は、前記撮像位置特定部が特定した撮像位置、および前記撮像時刻特定部が特定した撮像時刻を含む時期に基づいて、アルバムにおける撮像画像以外の部分に使用する色を選択し、
前記色付加部は、前記色選択部が選択した色を使用して、アルバムにおける撮像画像以外の部分に色を付加する
請求項１に記載のアルバム作成装置。
【請求項７】
アルバムを構成する撮像画像が撮像された撮像時刻を特定する撮像時刻特定部と、
撮像位置および撮像時刻に対応づけて、予め定められた複数の色の組み合わせを示すカラーパレットの情報を格納するカラーパレット情報格納部と
をさらに備え、
前記色選択部は、前記撮像位置特定部が特定した撮像位置、および前記撮像時刻特定部が特定した撮像時刻を含む時期に対応づけて前記カラーパレット情報格納部が格納しているカラーパレットを選択し、
前記色付加部は、前記色選択部が選択したカラーパレットが示す複数の色の組み合わせを使用して、アルバムにおける撮像画像以外の部分に色を付加する
請求項１に記載のアルバム作成装置。
【請求項８】
前記撮像位置特定部が特定した撮像位置に基づいて、アルバムにおける撮像画像以外の部分に使用するテクスチャを選択するテクスチャ選択部と、
前記テクスチャ選択部が選択したテクスチャを使用して、アルバムにおける撮像画像以外の部分にテクスチャを付加するテクスチャ付加部と
をさらに備え、
前記色付加部は、前記色選択部が選択した色を使用して、前記テクスチャ付加部がアルバムにおける撮像画像以外の部分に付加したテクスチャに色を付加する
請求項１に記載のアルバム作成装置。
【請求項９】
アルバムを構成する撮像画像が撮像された撮像位置を特定する撮像位置特定段階と、
前記撮像位置特定段階が特定した撮像位置に基づいて、アルバムにおける撮像画像以外の部分に使用する色を選択する色選択段階と、
前記色選択段階において選択された色を使用して、アルバムにおける撮像画像以外の部分に色を付加する色付加段階と
を備えるアルバム作成方法。
【請求項１０】
アルバムを作成するアルバム作成装置用のアルバム作成プログラムであって、前記アルバム作成装置を、
アルバムを構成する撮像画像が撮像された撮像位置を特定する撮像位置特定部、
前記撮像位置特定部が特定した撮像位置に基づいて、アルバムにおける撮像画像以外の部分に使用する色を選択する色選択部、
前記色選択部が選択した色を使用して、アルバムにおける撮像画像以外の部分に色を付加する色付加部
として機能させるアルバム作成プログラム。
【請求項１１】
アルバムを構成する撮像画像が撮像された撮像位置を特定する撮像位置特定部と、
前記撮像位置特定部が特定した撮像位置に基づいて、アルバムにおける撮像画像以外の部分に使用するテクスチャを選択するテクスチャ選択部と、
前記テクスチャ選択部が選択したテクスチャを使用して、アルバムにおける撮像画像以外の部分にテクスチャを付加するテクスチャ付加部と
を備えるアルバム作成装置。
【請求項１２】
複数の撮像画像のそれぞれを撮像位置に対応づけて格納する画像格納部と、
前記画像格納部が格納する複数の撮像画像を、撮像位置に基づいて複数の撮像画像群に分類する画像分類部と、
前記画像分類部が分類した複数の撮像画像群のそれぞれを、アルバムの複数の配置領域にそれぞれ配置する画像配置部と
をさらに備え、
前記撮像位置特定部は、前記画像分類部が分類した撮像画像群に含まれる複数の撮像画像が撮像された撮像地域を特定し、
前記テクスチャ選択部は、前記撮像位置特定部が特定した撮像地域に基づいて、アルバムの複数の配置領域のそれぞれに使用するテクスチャを選択し、
前記テクスチャ付加部は、前記テクスチャ選択部が選択したテクスチャを使用して、アルバムの複数の配置領域のそれぞれにおける撮像画像以外の部分にテクスチャを付加する
請求項１１に記載のアルバム作成装置。
【請求項１３】
前記画像配置部は、前記画像分類部が分類した複数の撮像画像群のそれぞれを、アルバムの複数のページにそれぞれ配置し、
前記テクスチャ選択部は、前記撮像位置特定部が特定した撮像地域に基づいて、アルバムの複数のページのそれぞれに使用するテクスチャを選択し、
前記テクスチャ付加部は、前記テクスチャ選択部が選択したテクスチャを使用して、アルバムの複数のページのそれぞれにおける撮像画像以外の部分にテクスチャを付加する
請求項１２に記載のアルバム作成装置。
【請求項１４】
撮像位置に対応づけて、予め定められたテクスチャを示すテクスチャの情報を格納するテクスチャ情報格納部
をさらに備え、
前記テクスチャ選択部は、前記撮像位置特定部が特定した撮像位置に対応づけて前記テクスチャ情報格納部が格納するテクスチャを選択し、
前記テクスチャ付加部は、前記テクスチャ選択部が選択したテクスチャを使用して、アルバムにおける撮像画像以外の部分にテクスチャを付加する
請求項１１に記載のアルバム作成装置。
【請求項１５】
アルバムを構成する撮像画像が撮像された撮像位置を特定する撮像位置特定段階と、
前記撮像位置特定段階において特定された撮像位置に基づいて、アルバムにおける撮像画像以外の部分に使用するテクスチャを選択するテクスチャ選択段階と、
前記テクスチャ選択段階において選択されたテクスチャを使用して、アルバムにおける撮像画像以外の部分にテクスチャを付加するテクスチャ付加段階と
を備えるアルバム作成方法。
【請求項１６】
アルバムを作成するアルバム作成装置用のアルバム作成プログラムであって、前記アルバム作成装置を、
アルバムを構成する撮像画像が撮像された撮像位置を特定する撮像位置特定部、
前記撮像位置特定部が特定した撮像位置に基づいて、アルバムにおける撮像画像以外の部分に使用するテクスチャを選択するテクスチャ選択部、
前記テクスチャ選択部が選択したテクスチャを使用して、アルバムにおける撮像画像以外の部分にテクスチャを付加するテクスチャ付加部
として機能させるアルバム作成プログラム。
【発明の詳細な説明】
【技術分野】
【０００１】
本発明は、アルバム作成装置、アルバム作成方法、およびアルバム作成プログラムに関する。特に、本発明は、アルバムにおける撮像画像以外の部分に撮像画像に適した色を付加するアルバム作成装置、アルバム作成方法、およびアルバム作成プログラムに関する。
【背景技術】
【０００２】
従来、予め格納されたデザインを段階的に変化させたテンプレートから、所望のテンプレートを選択して、撮像画像をはめ込む方法が提案されている（例えば、特許文献１参照。）。また、テンプレートと、テンプレートに対応した画像処理方法とを予め格納して、撮像画像をテンプレートにはめ込む場合に、撮像画像に画像処理を施す方法が提案されている（例えば、特許文献２参照。）。
【特許文献１】特開２００２−０４９９２４号公報
【特許文献２】特開２００２−０５１２０６号公報
【発明の開示】
【発明が解決しようとする課題】
【０００３】
しかしながら、特許文献１に記載されている発明においては、予め格納されているテンプレートしかアルバム作成に用いることができないので、撮像画像に適した配色が、撮像画像以外の部分に施されたアルバムを自動的に作成することはできない。また、特許文献２に記載されている発明においては、画像処理の内容はテンプレートによって予め定められているので、撮像画像が撮像された場所に基づく画像処理ができず、撮像画像が撮像された場所に適した配色が、撮像画像以外の部分に施されたアルバムを自動的に作成することはできない。
【０００４】
そこで本発明は、上記課題を解決することができるアルバム作成装置、アルバム作成方法、およびアルバム作成プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、アルバム作成装置であって、アルバムを構成する撮像画像が撮像された撮像位置を特定する撮像位置特定部と、撮像位置特定部が特定した撮像位置に基づいて、アルバムにおける撮像画像以外の部分に使用する色を選択する色選択部と、色選択部が選択した色を使用して、アルバムにおける撮像画像以外の部分に色を付加する色付加部とを備える。
【０００６】
また、複数の撮像画像のそれぞれを撮像位置に対応づけて格納する画像格納部と、画像格納部が格納する複数の撮像画像を、撮像位置に基づいて複数の撮像画像群に分類する画像分類部と、画像分類部が分類した複数の撮像画像群のそれぞれを、アルバムの複数の配置領域にそれぞれ配置する画像配置部とをさらに備え、撮像位置特定部は、画像分類部が分類した撮像画像群に含まれる複数の撮像画像が撮像された撮像地域を特定し、色選択部は、撮像位置特定部が特定した撮像地域に基づいて、アルバムの複数の配置領域のそれぞれに使用する色を選択し、色付加部は、色選択部が選択した色を使用して、アルバムの複数の配置領域のそれぞれにおける撮像画像以外の部分に色を付加してもよい。
【０００７】
更に、画像配置部は、画像分類部が分類した複数の撮像画像群のそれぞれを、アルバムの複数のページにそれぞれ配置し、色選択部は、撮像位置特定部が特定した撮像地域に基づいて、アルバムの複数のページのそれぞれに使用する色を選択し、色付加部は、色選択部が選択した色を使用して、アルバムの複数のページのそれぞれにおける撮像画像以外の部分に色を付加してもよい。そして、撮像位置に対応づけて、予め定められた複数の色の組み合わせを示すカラーパレットの情報を格納するカラーパレット情報格納部をさらに備え、色選択部は、撮像位置特定部が特定した撮像位置に対応づけてカラーパレット情報格納部が格納するカラーパレットを選択し、色付加部は、色選択部が選択したカラーパレットが示す複数の色の組み合わせを使用して、アルバムにおける撮像画像以外の部分に色を付加してもよい。
【０００８】
また、カラーパレット情報格納部は、国に対応づけて、カラーパレットの情報を格納し、撮像位置特定部は、アルバムを構成する撮像画像が撮像された国を特定し、色選択部は、撮像位置特定部が特定した国に対応づけてカラーパレット情報格納部が格納するカラーパレットを選択してもよい。また、アルバムを構成する撮像画像が撮像された撮像時刻を特定する撮像時刻特定部をさらに備え、色選択部は、撮像位置特定部が特定した撮像位置、および撮像時刻特定部が特定した撮像時刻を含む時期に基づいて、アルバムにおける撮像画像以外の部分に使用する色を選択し、色付加部は、色選択部が選択した色を使用して、アルバムにおける撮像画像以外の部分に色を付加してもよい。
【０００９】
そして、アルバムを構成する撮像画像が撮像された撮像時刻を特定する撮像時刻特定部と、撮像位置および撮像時刻に対応づけて、予め定められた複数の色の組み合わせを示すカラーパレットの情報を格納するカラーパレット情報格納部とをさらに備え、色選択部は、撮像位置特定部が特定した撮像位置、および撮像時刻特定部が特定した撮像時刻を含む時期に対応づけてカラーパレット情報格納部が格納しているカラーパレットを選択し、色付加部は、色選択部が選択したカラーパレットが示す複数の色の組み合わせを使用して、アルバムにおける撮像画像以外の部分に色を付加してもよい。また、撮像位置特定部が特定した撮像位置に基づいて、アルバムにおける撮像画像以外の部分に使用するテクスチャを選択するテクスチャ選択部と、テクスチャ選択部が選択したテクスチャを使用して、アルバムにおける撮像画像以外の部分にテクスチャを付加するテクスチャ付加部とをさらに備え、色付加部は、色選択部が選択した色を使用して、テクスチャ付加部がアルバムにおける撮像画像以外の部分に付加したテクスチャに色を付加してもよい。
【００１０】
また、本発明の第２の形態においては、アルバム作成方法であって、アルバムを構成する撮像画像が撮像された撮像位置を特定する撮像位置特定段階と、撮像位置特定段階が特定した撮像位置に基づいて、アルバムにおける撮像画像以外の部分に使用する色を選択する色選択段階と、色選択段階において選択された色を使用して、アルバムにおける撮像画像以外の部分に色を付加する色付加段階とを備える。
【００１１】
また、本発明の第３の形態においては、アルバムを作成するアルバム作成装置用のアルバム作成プログラムであって、アルバム作成装置を、アルバムを構成する撮像画像が撮像された撮像位置を特定する撮像位置特定部、撮像位置特定部が特定した撮像位置に基づいて、アルバムにおける撮像画像以外の部分に使用する色を選択する色選択部、色選択部が選択した色を使用して、アルバムにおける撮像画像以外の部分に色を付加する色付加部として機能させる。
【００１２】
また、本発明の第４の形態においては、アルバム作成装置であって、アルバムを構成する撮像画像が撮像された撮像位置を特定する撮像位置特定部と、撮像位置特定部が特定した撮像位置に基づいて、アルバムにおける撮像画像以外の部分に使用するテクスチャを選択するテクスチャ選択部と、テクスチャ選択部が選択したテクスチャを使用して、アルバムにおける撮像画像以外の部分にテクスチャを付加するテクスチャ付加部とを備える。
【００１３】
また、複数の撮像画像のそれぞれを撮像位置に対応づけて格納する画像格納部と、画像格納部が格納する複数の撮像画像を、撮像位置に基づいて複数の撮像画像群に分類する画像分類部と、画像分類部が分類した複数の撮像画像群のそれぞれを、アルバムの複数の配置領域にそれぞれ配置する画像配置部とをさらに備え、撮像位置特定部は、画像分類部が分類した撮像画像群に含まれる複数の撮像画像が撮像された撮像地域を特定し、テクスチャ選択部は、撮像位置特定部が特定した撮像地域に基づいて、アルバムの複数の配置領域のそれぞれに使用するテクスチャを選択し、テクスチャ付加部は、テクスチャ選択部が選択したテクスチャを使用して、アルバムの複数の配置領域のそれぞれにおける撮像画像以外の部分にテクスチャを付加してもよい。
【００１４】
さらに、画像配置部は、画像分類部が分類した複数の撮像画像群のそれぞれを、アルバムの複数のページにそれぞれ配置し、テクスチャ選択部は、撮像位置特定部が特定した撮像地域に基づいて、アルバムの複数のページのそれぞれに使用するテクスチャを選択し、テクスチャ付加部は、テクスチャ選択部が選択したテクスチャを使用して、アルバムの複数のページのそれぞれにおける撮像画像以外の部分にテクスチャを付加してもよい。そして、撮像位置に対応づけて、予め定められたテクスチャを示すテクスチャの情報を格納するテクスチャ情報格納部をさらに備え、テクスチャ選択部は、撮像位置特定部が特定した撮像位置に対応づけてテクスチャ情報格納部が格納するテクスチャを選択し、テクスチャ付加部は、テクスチャ選択部が選択したテクスチャを使用して、アルバムにおける撮像画像以外の部分にテクスチャを付加してもよい。
【００１５】
また、本発明の第５の形態においては、アルバム作成方法であって、アルバムを構成する撮像画像が撮像された撮像位置を特定する撮像位置特定段階と、撮像位置特定段階において特定された撮像位置に基づいて、アルバムにおける撮像画像以外の部分に使用するテクスチャを選択するテクスチャ選択段階と、テクスチャ選択段階において選択されたテクスチャを使用して、アルバムにおける撮像画像以外の部分にテクスチャを付加するテクスチャ付加段階とを備える。
【００１６】
さらに、本発明の第６の形態においては、アルバムを作成するアルバム作成装置用のアルバム作成プログラムであって、アルバム作成装置を、アルバムを構成する撮像画像が撮像された撮像位置を特定する撮像位置特定部、撮像位置特定部が特定した撮像位置に基づいて、アルバムにおける撮像画像以外の部分に使用するテクスチャを選択するテクスチャ選択部、テクスチャ選択部が選択したテクスチャを使用して、アルバムにおける撮像画像以外の部分にテクスチャを付加するテクスチャ付加部として機能させる。
【００１７】
なお、上記の発明の概要は、本発明の必要な特徴の全てを列挙したものではなく、これらの特徴群のサブコンビネーションもまた、発明となりうる。
【発明の効果】
【００１８】
本発明によれば、撮像画像が撮像された位置情報に基づいて、撮像画像以外の部分に、撮像されている位置に適した配色を施すことができる。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２０】
図１は、本発明の一実施形態に係るアルバム作成装置１００の概要を示す。撮像装置２００は、撮像位置に対応づけて、撮像画像を記録する。撮像位置は、例えば、撮像装置２００に備えられたＧＰＳ装置によって特定してよい。そして、アルバム作成装置１００は、撮像装置２００から、撮像画像、および撮像位置を受け取る。続いて、アルバム作成装置１００は、撮像位置に基づいた色を選択する。そして、アルバム作成装置１００は、撮像画像を用いてアルバムを作成する場合に、撮像位置に対応づけて選択された色を用いて、アルバムの撮像画像以外の部分に配色を施す。本実施形態に係るアルバム作成装置１００は、撮像画像が撮像された位置に基づいて、撮像画像以外の部分に、撮像されている位置に適した配色を施すことを目的とする。
【００２１】
ここで、一般的に、場所、地域、および国等を象徴する色は異なる。例えば、地域の色、国の色、州の色、および国旗の色等のように、その場所を象徴する色がある。人は、旅行に行くと、旅行先の位置等から想起される色について、強く印象付けられる。そして、人は、想起した当該色を記憶する。例えば、中国、および台湾を象徴する色は赤色であってよく、中国、および台湾を旅行した人は、中国、および台湾と赤色とを関連付けて記憶する。また、オセアニアを象徴する色はマリンブルーであってよく、オセアニア方面を旅行した人は、オセアニアとマリンブルーとを関連付けて記憶する。そして、アルバム作成装置１００は、撮像位置を象徴する色を用いて、アルバムの撮像画像以外の部分に色を付加する。アルバム作成装置１００は、撮像位置を象徴する色を基調とした模様をアルバムのページ１５０に施してもよい。これにより、人は、旅行先の場所の雰囲気、旅行先における思い出等を、鮮明に思い出すことができる。
【００２２】
例えば、ユーザ４１０が、中国において、被写体４２０、および被写体４３０を、撮像装置２００を用いて撮像した場合を考える。ここで、中国を象徴する色は赤色であってよい。撮像装置２００は、被写体４２０、および被写体４３０を撮像する。そして、撮像装置２００は、撮像画像と撮像位置とを対応づけて、撮像画像および撮像位置を記録する。続いて、撮像装置２００により記録された撮像画像および撮像位置は、メモリおよびインターネット等のネットワークを介して、アルバム作成装置１００に供給される。
【００２３】
そして、アルバム作成装置１００は、アルバムを構成する撮像画像が撮像された国である、中国を撮像位置として特定する。続いて、アルバム作成装置１００は、中国を象徴する色である、赤色を選択する。そして、アルバム作成装置１００は、選択された赤色を用いて、アルバムにおける撮像画像以外の部分に色を付加する。そして、アルバム作成装置１００は、アルバムのページ１５０を作成する。ここで、アルバム作成装置１００は、撮像画像以外の部分の全体、またはその一部分に色を付加してよい。また、例えば、アルバム作成装置１００は、撮像画像の縁取りに色を配色する、または、撮像画像以外の部分に模様を付して、当該模様に対して配色を施してもよい。これにより、アルバムの鑑賞者は、旅行先である中国での思い出、および感動を、鮮明に思い出すことができる。
【００２４】
図２は、本実施形態に係るアルバム作成装置１００の機能構成の一例を示す。アルバム作成装置１００は、画像格納部１０、撮像位置特定部２０、撮像時刻特定部２２、色選択部３０、カラーパレット情報格納部４０、色付加部５０、画像分類部６０、画像配置部７０、印刷部８０、および表示部９０を備える。
【００２５】
画像格納部１０は、撮像装置２００において撮像された撮像画像、および撮像位置を、メモリ、およびインターネット等のネットワークを介して受け取る。そして、画像格納部１０は、撮像画像を一意に識別できる画像識別子に対応づけて、複数の撮像画像、および複数の撮像画像の撮像位置を格納する。なお、撮像装置２００において、撮像日時に対応づけて、撮像画像が撮像されていた場合には、画像格納部１０は、画像識別子に対応づけて、撮像日時を併せて格納してよい。なお、撮像日時には撮像時刻が含まれていてよい。画像格納部１０は、画像識別子に対応づけて格納している、撮像位置、および撮像日時を、撮像位置特定部２０へ供給する。また、画像格納部１０は、画像識別子に対応づけて格納している、撮像画像、撮像位置、および撮像日時を、画像分類部６０へ供給する。さらに、画像格納部１０は、画像識別子に対応づけて格納している撮像日時を撮像時刻特定部２２に供給する。
【００２６】
画像分類部６０は、画像格納部１０から受け取った複数の撮像画像を、撮像位置に基づいて複数の撮像画像群に分類する。なお、撮像画像群とは、予め定められた特徴を有する複数の撮像画像の集まりであってよい。撮像画像群は、例えば、予め定められた地域、同一の国、同一の州、および予め定められた時期等において撮像された複数の撮像画像の集まりであってよい。例えば、撮像画像群は、ヨーロッパで撮像された撮像画像の集まり、中国で撮像された撮像画像の集まり、および春等の予め定められた季節に撮像された撮像画像の集まり等であってよい。なお、予め定められた時期とは、撮像時刻を含む所定の時間間隔を示す時期であってよい。
【００２７】
また、撮像位置を示す情報は、撮像された位置の緯度、および経度を示す情報であってよい。また、撮像位置は、予め定められた緯度の範囲、および経度の範囲を示す情報であってもよい。例えば、画像分類部６０は、大陸ごと、地域ごと、国ごと、州ごと、都市ごと等の緯度、経度、または緯度、経度の範囲に対応づけて、複数の撮像画像を分類してよい。すなわち、画像分類部６０は、予め定められた間隔の経線、および緯線で地域を網目状に区画して、区画ごとに複数の撮像画像を分類してよい。画像分類部６０は、分類された複数の撮像画像群を、撮像位置特定部２０、および画像配置部７０へ供給する。なお、画像分類部６０は、撮像画像が撮像された日時に基づいて、複数の撮像画像を、複数の撮像画像群に分類してもよい。
【００２８】
撮像位置特定部２０は、画像格納部１０から受け取った撮像位置を示す情報から、アルバムを構成する撮像画像の撮像位置を特定する。例えば、撮像位置が緯度、経度により表されていた場合には、緯度、経度から撮像位置を特定してよい。また、撮像位置特定部２０は、緯度、経度から、撮像地域、または国等を特定してもよい。ここで、撮像地域とは、ヨーロッパ、南北アフリカ、中東、東南アジア、南北アメリカおよびオセアニア等を示す地域であってよい。また、画像分類部６０から受け取った、分類された複数の撮像画像群に含まれる、複数の撮像画像の撮像地域を、撮像位置特定部２０が特定してもよい。撮像位置特定部２０は、特定された撮像位置を、色選択部３０へ供給する。撮像時刻特定部２２は、画像格納部１０から受け取った撮像日時から、アルバムを構成する撮像画像が撮像された撮像時刻を特定する。撮像時刻特定部２２は、特定した撮像時刻を色選択部３０に供給する。
【００２９】
カラーパレット情報格納部４０は、撮像位置に対応づけて、予め定められた複数の色の組み合わせを示すカラーパレットの情報を格納する。例えば、カラーパレット情報格納部４０は、撮像場所、撮像日時、および季節情報の少なくとも一つに基づいてカラーパレット情報を格納してよい。ここで、カラーパレットとは、視覚的に調和がとれた、複数の色の組み合わせであってよい。なお、カラーパレット情報格納部４０は、インターネット等で公開されたカラーパレットを含んでよく、半導体メモリ等の記録媒体に記録されたカラーパレットを含んでもよい。例えば、撮像位置が日本である場合において、撮像画像が撮像された季節が春である場合には桜色、夏である場合には原色系の色、秋である場合にはもみじ色、および冬である場合には白色を、カラーパレット情報としてカラーパレット情報格納部４０は格納してよい。なお、日本を除く他の国については、当該国を象徴するカラーパレット情報を、カラーパレット情報格納部４０は格納する。カラーパレット情報格納部４０は、色選択部３０に、カラーパレット情報を供給する。
【００３０】
色選択部３０は、撮像位置特定部２０において特定された撮像位置に基づいて、アルバムにおける撮像画像以外の部分に使用する色を選択する。また、色選択部３０は、撮像時刻特定部２２において特定された撮像時刻に基づいて、アルバムが有する複数の配置領域のそれぞれに使用する色を選択する。例えば、色選択部３０は、撮像地域、撮像日時、季節情報等に対応づけられたカラーパレット情報から、複数の色の組み合わせを選択する。更に、色選択部３０は、撮像位置特定部２０において特定された撮像地域に基づいて、アルバムが有する複数のページのそれぞれに使用する色を選択してもよい。例えば、アルバムのページごとに異なる地域の撮像画像を配置する場合には、色選択部３０は、撮像位置に基づいて、撮像画像以外の部分に配色する色をページごとに選択してよい。
【００３１】
また、色選択部３０は、撮像位置特定部２０において特定された撮像位置に対応するカラーパレットを、カラーパレット情報格納部４０から選択する。そして、色選択部３０は、カラーパレット情報格納部４０から選択されたカラーパレットを受け取る。また、色選択部３０は、撮像位置特定部２０において特定された地域、および国に対応づけて、カラーパレット情報格納部４０に格納されているカラーパレットを選択してもよい。また、色選択部３０は、撮像画像が撮像された日時に基づいて、複数の撮像画像に対する色を選択してもよい。すなわち、まず、画像分類部６０において、複数の撮像画像が、予め定められた撮像日時の範囲に含まれるように分類される。例えば、画像分類部６０は、複数の撮像画像を、年ごと、季節ごと、および月ごと等の撮像時刻を含む所定の時期の範囲に含まれるように分類する。また、画像分類部６０は、撮像画像の撮像位置が同一、または予め定められた範囲に入る場合において、複数の撮像画像を、撮像日時に基づいて分類してもよい。そして、色選択部３０は、撮像日時に基づいて、複数の撮像画像に対応する色を選択してもよい。
【００３２】
例えば、撮像位置特定部２０において特定された位置が、日本であった場合を考える。係る場合において、カラーパレット情報格納部４０は、位置、および月に対応づけて、当該月の季節を想起させるカラーパレットを格納する。そして、撮像画像が撮像された季節に基づいて、色選択部３０はカラーパレット情報格納部４０に格納されているカラーパレットを選択する。例えば、撮像画像が撮像された日時が１２月であった場合には、１２月、または冬に対応づけて格納されているカラーパレット情報を、色選択部３０は選択してよい。冬に対応づけて格納されているカラーパレット情報は、例えば、彩度、明度が低い色を含むカラーパレット情報であってよい。色選択部３０は、選択した色を色付加部５０へ供給する。
【００３３】
画像配置部７０は、画像分類部６０から受け取った、分類された複数の撮像画像群のそれぞれを、アルバムの複数の配置領域にそれぞれ配置する。なお、配置領域とは、アルバムのページ内における、撮像画像を配置する領域であってよい。また、画像配置部７０は、画像分類部６０において分類された撮像画像群に含まれる複数の撮像画像のそれぞれを、アルバムの複数のページにそれぞれ配置してもよい。なお、ページとは、アルバムの見開きページのことであってよく、アルバムにおける見開きの片方のページであってもよい。また、アルバム作成装置１００が、ディスプレイ等の表示デバイスにアルバムとして出力する装置である場合においては、ページとは、表示デバイスに複数の画像が同時に表示される表示領域のことであってよい。画像配置部７０は、撮像画像が配置されたアルバムの情報を、色付加部５０へ供給する。
【００３４】
色付加部５０は、色選択部３０において選択された色を用いて、画像配置部７０から受け取った、アルバムの撮像画像以外の部分に色を付加する。また、色付加部５０は、色選択部３０において選択された色を用いて、アルバムが有する複数の配置領域のそれぞれにおける、撮像画像以外の部分に色を付加してもよい。例えば、撮像画像を配置する配置領域がアルバムのページに複数ある場合には、各撮像画像を配置する領域以外の部分に、色付加部５０は選択された色を用いて配色を施すことができる。また、色選択部３０において、撮像位置、撮像日時、および季節情報の少なくとも一つに基づいて選択された色を用いて、色付加部５０は、アルバムの背景に選択された色を付加してもよい。
【００３５】
更に、色付加部５０は、色選択部３０において選択された色を使用して、アルバムが有する複数のページのそれぞれにおける撮像画像以外の部分に色を付加してもよい。例えば、ページごとに画像分類部６０において分類された複数の撮像画像を配置する場合において、色付加部５０は、色選択部３０において選択された撮像画像群に対応づけられた色を用いて、アルバムが有するページの、撮像画像以外の部分に配色を施してよい。
【００３６】
また、色付加部５０は、アルバムの撮像画像以外の部分に、色選択部３０において選択された色を基調とした、様々な模様（例えば、帯模様、リボンの模様、または水玉模様等）を配置してよい。また、色付加部５０は、撮像画像の縁に、色選択部３０において選択された色を基調とした配色を施してもよい。更に、色選択部３０において選択された色を用いて、グラデーション等により、アルバムの撮像画像以外の部分に配色を施してもよい。
【００３７】
そして、色付加部５０は、色選択部３０において撮像位置に基づいたカラーパレットが選択された場合には、選択されたカラーパレットが示す複数の色の組み合わせを用いて、アルバムにおける撮像画像以外の部分に色を付加してもよい。更に、色選択部３０において、撮像位置特定部２０により特定された国に対応づけられたカラーパレットが選択された場合には、色付加部５０は、選択されたカラーパレットが示す複数の色の組み合わせを用いて、アルバムにおける撮像画像以外の部分に色を付加してもよい。色付加部５０は、配色を施したアルバムを印刷部８０、および表示部９０へ供給する。
【００３８】
印刷部８０は、色付加部５０から受け取った、撮像画像以外の部分に配色が施されたアルバムを印刷する。また、表示部９０は、色付加部５０から受け取った、撮像画像以外の部分に配色が施されたアルバムを、ディスプレイ等の表示デバイスに表示する。すなわち、表示部９０は、色付加部５０から受け取ったアルバムを、電子アルバムとして表示デバイスに表示してよい。
【００３９】
本実施形態に係るアルバム作成装置１００によれば、撮像位置に基づいて、アルバムの撮像画像以外の部分に配色を自動的に施すことができる。これにより、アルバムの鑑賞者は、撮像画像が撮像された地域を容易に想起できるので、旅行等を鮮明に思い出すことができる。
【００４０】
図３は、本実施形態に係る画像格納部１０の一例を示す。画像格納部１０は、複数の撮像画像のそれぞれを撮像位置に対応づけて格納する。撮像位置は、例えば、撮像画像が撮像された位置の緯度、経度を示す情報であってよい。また、画像識別子に対応づけて、撮像位置、および撮像画像の画像データを格納してもよい。ここで、画像識別子とは、画像格納部１０が画像を格納する場合に、それぞれの画像について一意となるべく定められた値であってよい。なお、画像識別子は数値だけではなく、画像データを示すファイルに割り当てられたファイル名等の文字列であってもよい。また、画像格納部１０は、複数の画像のそれぞれを識別する画像識別子に対応づけて、更に、当該画像の撮像された日時を示す情報を格納してもよい。
【００４１】
図４は、本実施形態に係るカラーパレット情報格納部４０の一例を示す。カラーパレット情報格納部４０は、撮像位置に対応づけて、予め定められた複数の色の組み合わせを示すカラーパレット情報を格納する。例えば、カラーパレット情報格納部４０は、位置、地域、国、および国旗等に対応づけて、当該位置、当該地域、当該国、および当該国旗等の色を格納する。例えば、撮像された位置に基づいて、撮像位置特定部２０において撮像された国が特定された場合には、色選択部３０によって選択された当該国に対応するカラーパレット情報が、カラーパレット情報格納部４０から色選択部３０に供給される。そして、色付加部５０において、色選択部３０により選択された色が、撮像画像以外の部分の配色に用いられる。
【００４２】
例えば、特定された国が中国である場合には、色選択部３０には、カラーパレット情報格納部４０から色Ａ、色Ｂ、および色Ｃを含むカラーパレット情報が供給される。また、特定された国がイギリスである場合には、色選択部３０には、カラーパレット情報格納部４０から色Ｄ、色Ｅ、および色Ｆを含むカラーパレット情報が供給される。なお、カラーパレット情報格納部４０は、ヨーロッパ、東南アジア、およびオセアニア等の地域に基づいてカラーパレット情報を格納してよい。また、カラーパレット情報格納部４０は、例えば、大陸ごと、州ごと、および県ごと等に対応づけて、カラーパレット情報を格納してもよい。更には、カラーパレット情報格納部４０は、季節ごと、月ごと、および時間ごと等の時期に対応づけて、カラーパレット情報を格納してもよい。
【００４３】
具体的には、カラーパレット情報格納部４０は、撮像位置および撮像日時に対応づけてカラーパレット情報を格納してよい。例えば、カラーパレット情報格納部４０は、撮像位置として日本に対応づけて、予め定められた時期のカラーパレット情報を格納していてよい。より具体的には、カラーパレット情報格納部４０は、日本に対応づけて、春（３月から５月）、夏（６月から８月）、秋（９月から１１月）、および冬（１２月から２月）のそれぞれに特徴的なカラーパレット情報を格納する。例えば、カラーパレット情報格納部４０は、撮像位置が日本の場合には、春に対応づけて桜色、夏に対応づけて青色、秋に対応づけてもみじ色、および冬に対応づけて白色を基調としたカラーパレット情報を格納してよい。また、カラーパレット情報格納部４０は、撮像位置がエジプトの場合には、撮像日時にかかわらず、黄色、または黄土色を基調としたカラーパレット情報を格納してよい。さらに、カラーパレット情報格納部４０は、撮像位置が海である場合においても、撮像日時にかかわらず、青色を基調としたカラーパレット情報を格納してよい。
【００４４】
本実施形態に係るアルバム作成装置１００によれば、撮像位置および撮像時刻に対応付けられた複数の色を組み合わせたカラーパレット情報として、カラーパレット情報格納部４０に格納できる。これにより、アルバムの撮像画像以外の部分に撮像位置および撮像時刻を想起させる適切な色を用いて、自動的に配色を施すことができる。
【００４５】
図５は、本実施形態に係る画像配置部７０による画像レイアウトの一例を示す。画像配置部７０は、画像分類部６０において分類された複数の撮像画像群のそれぞれを、アルバムに配置する。画像配置部７０は、アルバムの複数の配置領域に撮像画像群を配置する。例えば、画像配置部７０は、アルバムの同一ページ内の複数の配置領域に、同一の地域、同一の国等、画像分類部６０において分類された複数の撮像画像群を配置する。また、画像配置部７０は、アルバムが有するページの複数の配置領域に、画像分類部６０において分類された複数の撮像画像群を配置してもよい。
【００４６】
また、画像配置部７０は、アルバムの複数のページに、複数の撮像画像群を配置してもよい。画像配置部７０は、アルバムの見開きページに、画像分類部６０において分類された複数の撮像画像群を配置する。例えば、画像配置部７０は、アルバムの見開きページに同一の地域、または、同一の国等で撮像された撮像画像を配置する。また、画像配置部７０は、アルバムの見開きページのそれぞれに、異なる地域、または異なる国等で撮像された撮像画像を配置してもよい。
【００４７】
例えば、アルバム３００において、撮像画像３０２、撮像画像３０４、および撮像画像３０６の撮像位置が中国であった場合を考える。まず、アルバム作成装置１００は、これらの撮像画像をアルバムのページ３１０内の配置領域に配置する。そして、アルバム作成装置１００は、例えば、色付加部分３０８のように、撮像画像以外の領域に、中国を象徴する色を基調とした配色を施してよい。
【００４８】
また、アルバム３００において、撮像画像３２２、撮像画像３２４、撮像画像３２６、撮像画像３２８、および撮像画像３３０の撮像位置がイギリスであった場合を考える。まず、アルバム作成装置１００は、これらの画像をアルバムのページ３２０内の配置領域に配置する。そして、アルバム作成装置１００は、例えば、色付加部分３３２のように、撮像画像以外の領域に、イギリスを象徴する色を基調とした配色を施してよい。
【００４９】
なお、撮像画像以外の領域に色を付加する部分の形状は、例えば、アルバムのページの縁取り、撮像画像の縁取り、背景に配置する帯形状の模様、円形の模様、矩形の模様、若しくはその他の模様等、またはこれらの組み合わせであってよい。また、アルバム作成装置１００によって選択された複数の色を、これらの形状または、アルバムの背景に付加してもよい。さらに、アルバム作成装置１００は、選択された複数の色を用いて、これらの形状にハッチング、グラデーション等の手法により配色を施してもよい。
【００５０】
また、色選択部３０は、撮像画像に含まれる色のコントラストと、撮像画像以外の領域に付加される色のコントラストとを比較してもよい。そして、色付加部５０は、撮像画像以外の領域に付加する色のコントラストを撮像画像に含まれる色のコントラストより小さくして、配色を施してもよい。これにより、撮像画像以外の部分に撮像位置等に基づいた適切な配色を施しつつ、撮像画像を見やすくすることができる。
【００５１】
図６は、本発明の第２の実施形態に係るアルバム作成装置１００の概要を示す。まず、ユーザ４１０は撮像装置２００で被写体４２２を撮像する。そして、撮像装置２００は、撮像位置に対応づけて、撮像画像を記録する。撮像位置は、例えば、撮像装置２００に備えられたＧＰＳ装置によって特定してよい。そして、アルバム作成装置１００は、撮像装置２００から、撮像画像、および撮像位置を受け取る。続いて、アルバム作成装置１００は、撮像位置に対応するテクスチャを選択する。そして、アルバム作成装置１００は、撮像画像を用いてアルバムを作成する場合に、撮像位置に対応づけて選択されたテクスチャを用いて、アルバムの撮像画像以外の部分、すなわちアルバムの背景にテクスチャを付加する。本実施形態に係るアルバム作成装置１００は、アルバムの背景に、撮像位置に対応したテクスチャを付加することを目的とする。
【００５２】
例えば、ユーザ４１０が、撮像装置２００を用いて被写体４２２を撮像した場合を考える。撮像装置２００において撮像された画像の撮像位置は、撮像装置２００が備えるＧＰＳ装置によって特定する。そして、撮像装置２００は、特定した撮像位置（例えば、撮像位置の緯度経度）を、撮像画像に対応づけて記録する。そして、撮像装置２００からアルバム作成装置１００に撮像位置が対応づけられた撮像画像が供給される。一方、アルバム作成装置１００は、予め撮像位置（例えば、緯度経度を示す情報）に対応づけられたテクスチャを有している。そして、アルバム作成装置１００は、撮像画像を受け取った場合に、当該撮像画像の撮像位置に対応づけられたテクスチャを抽出する。続いて、アルバム作成装置１００は、アルバムのページ１５２を作成する場合に、抽出したテクスチャを、アルバムのページ１５２の背景に付加する。例えば、アルバム作成装置１００は、アルバムのページ１５２の背景に石垣のテクスチャを付加する。
【００５３】
なお、アルバム作成装置１００は、撮像装置２００から受け取った撮像位置を用いて、インターネット等のネットワーク上で公開されている衛星写真から、撮像位置に対応する場所の衛星写真を検索してよい。そして、アルバム作成装置１００は、撮像位置に対応する場所の衛星写真を取得する。続いて、アルバム作成装置１００は、取得した衛星写真を解析して、撮像位置の土地の状態を推定する。そして、アルバム作成装置１００は、推定した結果に基づいて、アルバムの背景にテクスチャまたは色を付加してよい。例えば、アルバム作成装置１００は、衛星写真を解析した結果から撮像位置が森林である場合には、アルバムの背景に森林のテクスチャ、または森林の色を付加する。また、アルバム作成装置１００は、衛星写真を解析した結果から撮像位置がサバンナである場合には、アルバムの背景にサバンナのテクスチャ、またはサバンナに特徴的な色を付加する。
【００５４】
本実施形態に係るアルバム作成装置１００によれば、撮像位置に特徴的なテクスチャをアルバムの背景に付加できるので、アルバム鑑賞者は、アルバムを観賞したときにひと目でアルバムに配置された画像がいずれの場所で撮像されたかを想起できる。
【００５５】
図７は、本実施形態に係るアルバム作成装置１００の機能構成の一例を示す。アルバム作成装置１００は、画像格納部１０、撮像位置特定部２０、テクスチャ選択部３２、テクスチャ情報取得部４２、テクスチャ情報格納部４４、テクスチャ付加部５２、画像分類部６０、画像配置部７０、印刷部８０、および表示部９０を備える。ここで、アルバム作成装置１００は図１から図５の上記説明におけるアルバム作成装置１００の機能または構成の一部または全部をさらに備えてもよい。なお、図１から図５の上記説明で説明した部材と同一の部材については、略同一の機能を有するので詳細な説明は省略する。
【００５６】
画像格納部１０は、撮像画像を一意に識別できる画像識別子に対応づけて、撮像装置２００において撮像された複数の撮像画像、および複数の撮像画像の撮像位置を格納する。画像格納部１０は、画像識別子に対応づけて格納されている撮像位置を、撮像位置特定部２０へ供給する。また、画像格納部１０は、画像識別子に対応づけて格納されている、撮像画像および撮像位置を画像分類部６０へ供給する。画像分類部６０は、画像格納部１０から受け取った複数の撮像画像を、撮像位置に基づいて複数の撮像画像群に分類する。画像分類部６０は、分類された複数の撮像画像群を、撮像位置特定部２０、および画像配置部７０へ供給する。撮像位置特定部２０は、画像格納部１０から受け取った撮像位置を示す情報から、アルバムを構成する撮像画像の撮像位置、撮像場所、または撮像地域を特定する。撮像位置特定部２０は、特定した撮像位置または撮像地域をテクスチャ選択部３２へ供給する。
【００５７】
テクスチャ情報格納部４４は、撮像位置に対応づけて、予め定められたテクスチャを示すテクスチャの情報を格納する。例えば、テクスチャ情報格納部４４は、撮像位置または撮像時刻の少なくとも一つに基づいてテクスチャ情報を格納してよい。テクスチャ情報格納部４４は、テクスチャ選択部３２の制御に基づいてテクスチャ情報をテクスチャ選択部３２に供給する。テクスチャ情報取得部４２は、インターネット等で公開されたテクスチャ情報を取得する。また、テクスチャ情報取得部４２は、半導体メモリ等の記録媒体からテクスチャ情報を取得してもよい。そして、テクスチャ情報取得部４２は取得したテクスチャ情報を、撮像位置に対応づけてテクスチャ情報格納部４４に格納する。
【００５８】
テクスチャ選択部３２は、撮像位置特定部２０から受け取った撮像位置に基づいて、アルバムにおける撮像画像以外の部分に使用するテクスチャを選択する。また、テクスチャ選択部３２は、撮像位置特定部２０において特定された撮像地域に基づいて、テクスチャを選択してもよい。具体的には、テクスチャ選択部３２は、撮像位置特定部２０から受け取った撮像位置に対応づけてテクスチャ情報格納部４４が格納しているテクスチャを取得する。更に、テクスチャ選択部３２は、撮像位置特定部２０において特定された撮像地域に基づいて、アルバムが有する複数のページのそれぞれに使用する色を選択してもよい。例えば、アルバムのページごとに異なる地域の撮像画像を配置する場合には、テクスチャ選択部３２は、撮像位置に基づいて、撮像画像以外の部分に配色するテクスチャをページごとに選択してよい。また、テクスチャ選択部３２は、撮像画像が撮像された日時に基づいて、複数の撮像画像に対するテクスチャを選択してもよい。テクスチャ選択部３２は、選択したテクスチャをテクスチャ付加部５２へ供給する。
【００５９】
画像配置部７０は、画像分類部６０から受け取った、分類された複数の撮像画像群のそれぞれを、アルバムの複数の配置領域にそれぞれ配置する。画像配置部７０は、撮像画像が配置されたアルバムの情報を、テクスチャ付加部５２へ供給する。テクスチャ付加部５２は、テクスチャ選択部３２において選択されたテクスチャを使用して、アルバムにおける撮像画像以外の部分にテクスチャを付加する。また、テクスチャ付加部５２は、テクスチャ選択部３２において選択されたテクスチャを用いて、アルバムが有する複数の配置領域のそれぞれにおける、撮像画像以外の部分にテクスチャを付加してもよい。例えば、撮像画像を配置する配置領域がアルバムのページに複数ある場合には、各撮像画像を配置する領域以外の部分に、テクスチャ付加部５２は選択されたテクスチャを付加できる。
【００６０】
更に、テクスチャ付加部５２は、テクスチャ選択部３２において選択されたテクスチャを使用して、アルバムが有する複数のページのそれぞれにおける撮像画像以外の部分にテクスチャを付加してもよい。例えば、画像分類部６０において分類された複数の撮像画像をページごとに配置する場合において、テクスチャ付加部５２は、テクスチャ選択部３２において選択された撮像画像群に対応づけられたテクスチャを用いて、アルバムが有するページの、撮像画像以外の部分にテクスチャを付加してよい。テクスチャ付加部５２は、テクスチャを付加したアルバムを印刷部８０、および表示部９０へ供給する。印刷部８０は、テクスチャ付加部５２から受け取った、撮像画像以外の部分にテクスチャが付加されたアルバムを印刷する。また、表示部９０は、テクスチャ付加部５２から受け取った、撮像画像以外の部分にテクスチャが付加されたアルバムを、ディスプレイ等の表示デバイスに表示する。
【００６１】
本実施形態に係るアルバム作成装置１００は、撮像位置に対応づけて当該撮像位置に特徴的なテクスチャを有しているので、撮像した画像からアルバムを作成する場合に、撮像画像以外の部分、例えばアルバムページの背景部分に撮像位置に特徴的なテクスチャを付加できる。これにより、ユーザは、テクスチャが付加されたアルバムページを観賞したときに、一見して当該撮像画像が撮像された位置を想起できる。
【００６２】
図８は、本実施形態に係るテクスチャ情報格納部４４のデータ構造の一例を示す図である。テクスチャ情報格納部４４は、撮像位置に対応づけて、予め定められたテクスチャを示すテクスチャの情報を格納する。ここで、テクスチャは、予め定められた模様が繰り返された、アルバムの背景に用いる画像であってよい。また、テクスチャは、予め定められた模様が繰り返されることにより、所定の質感または材質感を感じさせる、アルバムの背景に用いる画像であってよい。さらに、テクスチャは、所定の場所に特徴的な模様を繰り返すことにより当該場所を思い起こさせる、アルバムの背景に用いる画像であってもよい。テクスチャ情報格納部４４が格納する撮像位置は、撮像位置を特定できる緯度および経度の情報であってよい。また、テクスチャ情報格納部４４は、撮像位置として所定の区画を示す情報を格納してよい。例えば、テクスチャ情報格納部４４が格納する撮像位置は、地域を網目状に区画した場合において、当該区画を特定する複数の緯度および経度を示す情報であってよい。また、テクスチャ情報格納部４４が格納するテクスチャ情報は、撮像位置と密接に関連する、当該撮像位置に特徴的なテクスチャであってよい。
【００６３】
例えば、撮像位置が森林である場合に当該撮像位置に対応づけてテクスチャ情報格納部４４が格納するテクスチャＡは、樹木の形状を有した模様が規則的に繰り返されている画像であってよい。また、撮像位置が砂浜である場合に当該撮像位置に対応づけてテクスチャ情報格納部４４が格納するテクスチャＤは、砂浜の形状（例えば、波打ち際の砂浜表面の形状）を有した模様が規則的に繰り返されている画像であってよい。また、撮像位置が城下町である場合に当該撮像位置に対応づけてテクスチャ情報格納部４４が格納するテクスチャＥは、石垣の形状を有した模様が規則的に繰り返されている画像であってよい。さらに、テクスチャ情報格納部４４は、村、町、市街地、都会、サバンナ、平原、草原、湿原、竹林、ジャングル、台地、盆地、山脈、湖沼、および海等の様々な場所の種類に対応づけて、テクスチャ情報を格納してよい。
【００６４】
図９は、本発明の第３の実施形態に係るアルバム作成装置１００の機能構成の一例を示す。アルバム作成装置１００は、画像格納部１０、撮像位置特定部２０、撮像時刻特定部２２、背景選択部３４、背景情報取得部４６、背景情報格納部４８、背景付加部５４、画像分類部６０、画像配置部７０、印刷部８０、および表示部９０を備える。ここで、アルバム作成装置１００は図１から図８の上記説明におけるアルバム作成装置１００の機能または構成の一部または全部をさらに備えてもよい。なお、図１から図８の上記説明で説明した部材と同一の部材については、略同一の機能を有するので詳細な説明は省略する。
【００６５】
画像格納部１０は、画像識別子に対応づけて複数の撮像画像、複数の撮像画像の撮像位置、および複数の撮像画像の撮像時刻を格納する。画像格納部１０は、画像識別子に対応づけて格納されている撮像位置を、撮像位置特定部２０へ供給する。また、画像格納部１０は、画像識別子に対応づけて格納されている、撮像画像、撮像時刻、および撮像位置を画像分類部６０へ供給する。さらに、画像格納部１０は、画像識別子に対応づけて格納されている撮像時刻を撮像時刻特定部２２に供給する。画像分類部６０は、画像格納部１０から受け取った複数の撮像画像を、撮像位置および撮像時刻に基づいて複数の撮像画像群に分類する。画像分類部６０は、分類された複数の撮像画像群を、撮像位置特定部２０、および画像配置部７０へ供給する。撮像位置特定部２０は、画像格納部１０から受け取った撮像位置を示す情報から、アルバムを構成する撮像画像の撮像位置または撮像地域を特定する。撮像位置特定部２０は、特定された撮像位置または撮像地域を、背景選択部３４へ供給する。
【００６６】
背景情報格納部４８は、撮像位置および撮像時刻を含む撮像時期に対応づけてテクスチャ情報およびカラーパレット情報を格納する。なお、背景情報格納部４８は、カラーパレット情報格納部４０およびテクスチャ情報格納部４４の双方の機能を有していてよい。背景情報格納部４８は、背景選択部３４の制御に基づいて背景情報を背景選択部３４に供給する。背景情報取得部４６は、インターネット等で公開されたテクスチャ情報およびカラーパレット情報を取得する。また、背景情報取得部４６は、半導体メモリ等の記録媒体からテクスチャ情報およびカラーパレット情報を取得してもよい。そして、背景情報取得部４６は取得したテクスチャ情報およびカラーパレット情報を、撮像位置に対応づけて背景情報格納部４８に格納する。
【００６７】
また、背景情報取得部４６は、撮像画像に対応づけて画像格納部が格納している撮像位置を示す情報を用いて、インターネット上で公開されている衛星写真を取得してもよい。そして、背景情報取得部４６は、取得した衛星写真から、撮像位置に特徴的な色情報、またはテクスチャ情報を取得してよい。例えば、背景情報取得部４６は、撮像位置が海上である場合には、撮像画像に含まれる青色を抽出して、抽出した青色を色情報として取得する。また、背景情報取得部４６は、撮像位置が森林である場合には、撮像画像に含まれる森林の色を抽出して、抽出した色を色情報として取得してもよい。
【００６８】
背景選択部３４は、撮像位置特定部２０から受け取った撮像位置、および撮像時刻特定部２２から受け取った撮像時刻に基づいて、アルバムにおける撮像画像以外の部分に使用するテクスチャおよび色、またはテクスチャおよびカラーパレットを選択する。具体的には、背景選択部３４は、撮像位置特定部２０において特定された撮像地域に基づいて、テクスチャおよび色、またはテクスチャおよびカラーパレットを選択する。また、背景選択部３４は、撮像時刻特定部２２から受け取った撮像時刻に基づいて、テクスチャ、または、色、若しくはカラーパレットを選択してもよい。なお、背景選択部３４は、図１から図８の上記説明における色選択部３０およびテクスチャ選択部３２の機能を有していてよい。背景選択部３４は、選択したテクスチャ、色、およびカラーパレットを背景付加部５４へ供給する。
【００６９】
画像配置部７０は、画像分類部６０から受け取った、分類された複数の撮像画像群のそれぞれを、アルバムの複数の配置領域にそれぞれ配置する。また、画像配置部７０は、画像分類部６０において分類された撮像画像群に含まれる複数の撮像画像のそれぞれを、アルバムの複数のページにそれぞれ配置してもよい。画像配置部７０は、撮像画像が配置されたアルバムの情報を、テクスチャ付加部５２へ供給する。背景付加部５４は、背景選択部３４において選択されたテクスチャ、色、およびカラーパレットを使用して、アルバムにおける撮像画像以外の部分にテクスチャおよび色を付加する。また、背景付加部５４は、背景選択部３４において選択されたテクスチャ、色、およびカラーパレットを用いて、アルバムが有する複数の配置領域のそれぞれにおける、撮像画像以外の部分にテクスチャおよび色を付加してもよい。
【００７０】
例えば、撮像画像を配置する配置領域がアルバムのページに複数ある場合には、各撮像画像を配置する領域以外の部分に、背景付加部５４は選択されたテクスチャおよび色を付加できる。なお、背景付加部５４は、図１から図８の上記説明における色付加部５０およびテクスチャ付加部５２の機能を有していてよい。すなわち、まず、背景付加部５４は、背景選択部３４が選択したテクスチャをアルバムの背景に付加する。続いて、背景付加部５４は、背景選択部３４が選択した色を、既にアルバムの背景に付加したテクスチャに付加してよい。背景付加部５４は、テクスチャおよび色を付加したアルバムを印刷部８０、および表示部９０へ供給する。印刷部８０は、背景付加部５４から受け取った、撮像画像以外の部分にテクスチャおよび色が付加されたアルバムを印刷する。また、表示部９０は、背景付加部５４から受け取った、撮像画像以外の部分にテクスチャおよび色が付加されたアルバムを、ディスプレイ等の表示デバイスに表示する。
【００７１】
本実施形態に係るアルバム作成装置１００によれば、撮像位置および撮像時刻に対応づけて、撮像位置および撮像時刻に特徴的なテクスチャおよび色を予め格納しているので、撮像画像を用いてアルバムを作成する場合に、当該撮像画像が撮像された場所、および撮像された時期に対応づけたテクスチャおよび色を、アルバムの背景に付加できる。これにより、アルバムを観賞したユーザは、撮像画像が撮像された場所および時期を容易に思い起こすことができる。
【００７２】
図１０は、本実施形態に係る背景情報格納部４８のデータ構造の一例を示す。背景情報格納部４８は、撮像位置に対応づけて場所の種類を格納している。そして、背景情報格納部４８は、撮像位置および撮像時刻を含む撮像時期に対応づけてテクスチャ情報およびカラーパレット情報を格納している。すなわち、背景情報格納部４８は、図４の上記説明におけるカラーパレット情報格納部４０、および図８の上記説明におけるテクスチャ情報格納部４４の機能を有していてよい。なお、撮像時期は、撮像時刻を含む所定の時間間隔であってよい。例えば、撮像時期は、季節、日、および予め定められた時間であってよい。
【００７３】
具体的には、背景情報格納部４８は、撮像位置に森林が存在する場合には、撮像位置および撮像時期に対応づけて、所定の時期における森林のテクスチャを格納してよい。例えば、背景情報格納部４８は、撮像位置および撮像時期に対応づけて、森林のテクスチャ、並びに春のカラーパレット情報（例えば、桜色、若草色等）、夏のカラーパレット情報（例えば、緑色、黄緑色等）、秋のカラーパレット情報（例えば、赤色、黄色、もみじ色等）、および冬のカラーパレット情報（例えば、白色、または明度および彩度の低い色）等を格納してよい。背景情報格納部４８は、同様にして、撮像位置の場所の種類および撮像時期に対応づけて、当該場所および撮像時期に特徴的なテクスチャ情報およびカラーパレット情報を格納してよい。
【００７４】
図１１は、本実施形態に係る表示部９０の表示結果の一例を示す。画像配置部７０は、画像分類部６０において分類された複数の撮像画像を、撮像地域、または撮像時期ごとに表示部９０の表示領域に配置してよい。具体的には、画像配置部７０は、撮像画像のサムネイル画像５００を撮像地域、または撮像時期ごとに表示部９０の表示領域に配置する。そして、背景付加部５４は、画像配置部７０が撮像地域、または撮像時期ごとに表示部９０の表示領域に配置したサムネイル画像５００を除く領域に、撮像地域、または撮像時期に対応したテクスチャ、または色を付加する。
【００７５】
例えば、表示画面９００に複数のサムネイル画像５００を配置する場合を考える。係る場合において、画像配置部７０は、表示画面９００に撮像地域ごとに分類したサムネイル画像５００を配置する。そして、背景付加部５４は、表示画面９００のサムネイル画像５００を除く領域に、撮像地域に対応するテクスチャ、または色を付加する。例えば、背景付加部５４は、背景６００、背景６１０、および背景６２０のように、サムネイル画像５００等に対応する撮像画像が撮像された撮像地域に応じて異なるテクスチャ、または色を背景に付加する。
【００７６】
本実施形態に係るアルバム作成装置１００によれば、複数のサムネイル画像５００を表示画面９００に表示するときに、サムネイル画像５００を除く領域に撮像地域、または撮像時期に特徴的なテクスチャ、または色を付加できる。これにより、ユーザは複数のサムネイル画像５００等が撮像された地域等をひと目で把握できるので、ユーザは、観賞を欲する画像を容易に探すことができる。
【００７７】
図１２は、本実施形態に係るアルバム作成装置１００のハードウェア構成の一例を示す。本実施形態に係るアルバム作成装置１００は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００７８】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００７９】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワーク等を介して他の装置と通信する。ハードディスクドライブ１５４０は、アルバム作成装置１００内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【００８０】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、アルバム作成装置１００が起動時に実行するブート・プログラム、アルバム作成装置１００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００８１】
ＲＡＭ１５２０を介してハードディスクドライブ１５４０に提供されるアルバム作成プログラムは、フレキシブルディスク１５９０、ＣＤ−ＲＯＭ１５９５、またはＩＣカード等の記録媒体に格納されて利用者によって提供される。アルバム作成プログラムは、記録媒体から読み出され、ＲＡＭ１５２０を介してアルバム作成装置１００内のハードディスクドライブ１５４０にインストールされて、ＣＰＵ１５０５において実行される。アルバム作成装置１００にインストールされて実行されるアルバム作成プログラムは、ＣＰＵ１５０５等に働きかけて、図１から図１１にかけて説明したアルバム作成装置１００を、画像格納部１０、撮像位置特定部２０、撮像時刻特定部２２、色選択部３０、テクスチャ選択部３２、背景選択部３４、カラーパレット情報格納部４０、テクスチャ情報取得部４２、テクスチャ情報格納部４４、背景情報取得部４６、背景情報格納部４８、色付加部５０、テクスチャ付加部５２、背景付加部５４、画像分類部６０、画像配置部７０、印刷部８０、および表示部９０として機能させる。
【００８２】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００８３】
【図１】アルバム作成装置１００の概念図である。
【図２】アルバム作成装置１００の機能構成を示すブロック図である。
【図３】画像格納部１０のデータ構造を示す図である。
【図４】カラーパレット情報格納部４０のデータ構造を示す図である。
【図５】画像配置部７０による画像レイアウトを示す図である。
【図６】アルバム作成装置１００の概要図である。
【図７】アルバム作成装置１００の機能構成を示すブロック図である。
【図８】テクスチャ情報格納部４４のデータ構造を示す図である。
【図９】アルバム作成装置１００の機能構成を示すブロック図である。
【図１０】背景情報格納部４８のデータ構造を示す図である。
【図１１】表示部９０の表示結果を示す図である。
【図１２】アルバム作成装置１００のハードウェア構成を示すブロック図である。
【符号の説明】
【００８４】
１０  画像格納部
２０  撮像位置特定部
２２  撮像時刻特定部
３０  色選択部
３２  テクスチャ選択部
３４  背景選択部
４０  カラーパレット情報格納部
４２  テクスチャ情報取得部
４４  テクスチャ情報格納部
４６  背景情報取得部
４８  背景情報格納部
５０  色付加部
５２  テクスチャ付加部
５４  背景付加部
６０  画像分類部
７０  画像配置部
８０  印刷部
９０  表示部
１００  アルバム作成装置
１５０、１５２  アルバムのページ
２００  撮像装置
３００  アルバム
３０２、３０４、３０６  撮像画像
３０８、３３２  色付加部分
３１０、３２０  アルバムのページ
３２２、３２４、３２６、３２８、３３０  撮像画像
４１０  ユーザ
４２０、４２２、４３０  被写体
５００  サムネイル画像
６００、６１０、６２０  背景
９００  表示画面
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
３０００、３１００、３２００  画像識別子
【図１】
2006352841.tif 000003
【図２】
2006352841.tif 000004
【図３】
2006352841.tif 000005
【図４】
2006352841.tif 000006
【図５】
2006352841.tif 000007
【図６】
2006352841.tif 000008
【図７】
2006352841.tif 000009
【図８】
2006352841.tif 000010
【図９】
2006352841.tif 000011
【図１０】
2006352841.tif 000012
【図１１】
2006352841.tif 000013
【図１２】
2006352841.tif 000014